(57)【要約】【課題】携帯が容易で且つ使い勝手が良い緊急通報装置、及び携帯が容易で且つ使い勝手が良い室内子機を備えるインターホン装置を提供する。【解決手段】  室内子機４に、ユーザが緊急通報を行うための緊急通報ボタン８５と、ユーザにより緊急通報ボタン８５が押下されることに基づいて、緊急通報信号を室内親機に無線通信回線を介して送信するアンテナ８１と、紐状部材を係止するための係止部と、を備える第１本体部８と、音声を入力するマイク９４と、室内親機から送信され、アンテナ８１が受信した音声を出力するスピーカ９３と、を備える第２本体部９と、を備え、第１本体部８は、第２本体部９に着脱可能に構成され、第１本体部８が第２本体部９に装着された際、第１本体部８と第２本体部９とが電気的に接続されるように構成した。【選択図】図３
2007116345.tif 000002
【特許請求の範囲】
【請求項１】
電話回線に接続される室内親機と、前記室内親機に接続され、前記室内親機に緊急通報するとともに、前記室内親機との間で通話を行う室内子機と、を備えるインターホン装置において、
前記室内子機は、
ユーザが前記緊急通報を行うための操作入力部と、ユーザにより前記操作入力部が操作されることに基づいて、緊急通報信号を前記室内親機に無線通信回線を介して送信する無線通信部と、紐状部材を係止するための係止部と、を備える第１本体部と、
音声を入力する音声入力部と、前記室内親機から送信され、前記無線通信部が受信した音声を出力する音声出力部と、を備える第２本体部と、を備え、
前記第１本体部は、前記第２本体部に着脱可能に構成され、
前記第１本体部が前記第２本体部に装着された際、前記第１本体部と前記第２本体部とが電気的に接続されることを特徴とするインターホン装置。
【請求項２】
外部装置に無線通信回線を介して接続され、前記外部装置に緊急通報するとともに、前記外部装置との間で通話を行う緊急通報装置において、
ユーザが前記緊急通報を行うための操作入力部と、ユーザにより前記操作入力部が操作されることに基づいて、緊急通報信号を前記外部装置に無線通信回線を介して送信する無線通信部と、を備える第１本体部と、
音声を入力する音声入力部と、前記外部装置から送信され、前記無線通信部が受信した音声を出力する音声出力部と、を備える第２本体部と、を備え、
前記第１本体部は、前記第２本体部に着脱可能に構成され、
前記第１本体部が前記第２本体部に装着された際、前記第１本体部と前記第２本体部とが電気的に接続されることを特徴とする緊急通報装置。
【請求項３】
前記第１本体部は、紐状部材を係止するための係止部を備えることを特徴とする請求項２に記載の緊急通報装置。
【発明の詳細な説明】
【技術分野】
【０００１】
本発明は、緊急通報装置及びインターホン装置に関する。
【背景技術】
【０００２】
従来、連絡先端末と電話回線を介して接続された室内親機と、当該室内親機に接続された室内子機等を備えるインターホン装置が知られている（例えば、特許文献１〜４）。室内子機には、スピーカやマイク等を備えて通話可能なものと、スピーカやマイク等を備えず、緊急通報用のボタンのみを備え、通話不可能なものとがある。そして、通話可能な室内子機はスピーカやマイク等を備える分、比較的大型となり、通話不可能な室内子機はスピーカやマイク等を備えないため、小型かつ軽量となり、携帯しやすくなっている。
【０００３】
また、例えば、スピーカの代わりにイヤホンを設けて小型化したもの（例えば、特許文献３）等も知られている。
【特許文献１】特開２００５−１５１５０１号公報
【特許文献２】特開２００１−０５７６０４号公報
【特許文献３】特開２００４−１８５５６３号公報
【特許文献４】特開２００１−１８９８１４号公報
【発明の開示】
【発明が解決しようとする課題】
【０００４】
しかしながら、特許文献３では、スピーカをイヤホンに変更した分、小型化されているが、マイクを備える分だけ大きくなってしまうとともに、イヤホンがないと通話ができないとなると、使い勝手が悪いという問題がある。
【０００５】
本発明の課題は、携帯が容易で且つ使い勝手が良い緊急通報装置、及び携帯が容易で且つ使い勝手が良い室内子機を備えるインターホン装置を提供することである。
【課題を解決するための手段】
【０００６】
請求項１に記載の発明は、電話回線に接続される室内親機と、前記室内親機に接続され、前記室内親機に緊急通報するとともに、前記室内親機との間で通話を行う室内子機と、を備えるインターホン装置において、
前記室内子機は、
ユーザが前記緊急通報を行うための操作入力部と、ユーザにより前記操作入力部が操作されることに基づいて、緊急通報信号を前記室内親機に無線通信回線を介して送信する無線通信部と、紐状部材を係止するための係止部と、を備える第１本体部と、
音声を入力する音声入力部と、前記室内親機から送信され、前記無線通信部が受信した音声を出力する音声出力部と、を備える第２本体部と、を備え、
前記第１本体部は、前記第２本体部に着脱可能に構成され、
前記第１本体部が前記第２本体部に装着された際、前記第１本体部と前記第２本体部とが電気的に接続されることを特徴としている。
【０００７】
請求項２に記載の発明は、外部装置に無線通信回線を介して接続され、前記外部装置に緊急通報するとともに、前記外部装置との間で通話を行う緊急通報装置において、
ユーザが前記緊急通報を行うための操作入力部と、ユーザにより前記操作入力部が操作されることに基づいて、緊急通報信号を前記外部装置に無線通信回線を介して送信する無線通信部と、を備える第１本体部と、
音声を入力する音声入力部と、前記外部装置から送信され、前記無線通信部が受信した音声を出力する音声出力部と、を備える第２本体部と、を備え、
前記第１本体部は、前記第２本体部に着脱可能に構成され、
前記第１本体部が前記第２本体部に装着された際、前記第１本体部と前記第２本体部とが電気的に接続されることを特徴としている。
【０００８】
請求項３に記載の発明は、請求項２に記載の緊急通報装置において、
前記第１本体部は、紐状部材を係止するための係止部を備えることを特徴としている。
【発明の効果】
【０００９】
請求項１に記載の発明によれば、ユーザにより操作入力部が操作されることに基づいて、無線通信部に緊急通報信号を室内親機に無線通信回線を介して送信させる第１本体部と、音声を入力する音声入力部と、室内親機から送信され、無線通信部が受信した音声を出力する音声出力部と、を備える第２本体部とが着脱可能に構成され、第１本体部が第２本体部に装着された際、第１本体部と第２本体部とが電気的に接続されるので、第１本体部を第２本体部から離して使用することにより、当該第１本体部をより容易に携帯できるとともに、第１本体部を第２本体部に接続して使用することにより室内親機と通話ができることとなるので、必要に応じて第１本体部と第２本体部とを着脱して使用することにより、室内子機を携帯が容易で且つ使い勝手が良いものとすることができる。
【００１０】
また、第１本体部は、紐状部材を係止するための係止部を備えるので、当該係止部に係止した紐状部材をユーザの首等に引掛けることにより、当該室内子機をさらに容易に携帯することができる。
【００１１】
請求項２に記載の発明によれば、ユーザにより操作入力部が操作されることに基づいて、無線通信部に緊急通報信号を外部装置に無線通信回線を介して送信させる第１本体部と、音声を入力する音声入力部と、外部装置から送信され、無線通信部が受信した音声を出力する音声出力部と、を備える第２本体部とが着脱可能に構成され、第１本体部が第２本体部に装着された際、第１本体部と第２本体部とが電気的に接続されるので、第１本体部を第２本体部から離して使用することにより、当該第１本体部をより容易に携帯できるとともに、第１本体部を第２本体部に接続して使用することにより外部装置と通話ができることとなるので、必要に応じて第１本体部と第２本体部とを着脱して使用することにより、緊急通報装置を携帯が容易で且つ使い勝手が良いものとすることができる。
【００１２】
請求項３に記載の発明によれば、請求項２記載の発明と同様の効果が得られるのは勿論のこと、特に、第１本体部は、紐状部材を係止するための係止部を備えるので、当該係止部に係止した紐状部材をユーザの首等に引掛けることにより、当該緊急通報装置をさらに容易に携帯することができる。
【発明を実施するための最良の形態】
【００１３】
以下、図を参照して、本発明に係る緊急通報装置及びインターホン装置を実施するための最良の形態を詳細に説明する。本実施形態では、外部装置として室内親機３を例示するとともに緊急通報装置として室内子機４を例示して説明する。
【００１４】
本発明に係るインターホン装置１は、例えば、図１に示すように、電話回線Ｔを介して連絡先端末２と接続されている。なお、図１においては、インターホン装置１と連絡先端末２とが１対１で接続される場合を示したが、これに限られるものではなく、例えば、複数台の連絡先端末２に１台のインターホン装置１が接続されてもよい。
【００１５】
インターホン装置１は、例えば、図１に示すように、電話回線Ｔに接続される外部装置としての室内親機３，当該室内親機３と無線通信回線（図示省略）を介して接続される緊急通報装置としての室内子機４，センサ子機５，玄関子機６等を備えて構成されている。また、固定電話機７は、室内親機３を介して、電話回線Ｔに接続されている。
【００１６】
室内親機３は、例えば、図１，図２に示すように、無線部３１，操作部３２，スピーカ部３３，マイク部３４，制御部３５等を備えて構成される。
【００１７】
無線部３１は、例えば、ＲＦモジュール等を備えて構成され、室内子機４等と無線通信を行う。
【００１８】
操作部３２は、例えば、テンキー（図示省略），操作キー等を備えて構成され、これらキーがユーザに押下されることにより、各種操作信号，設定条件情報等をＣＰＵ３６に出力する。
より具体的には、例えば、ユーザにより操作部３２が操作されることにより、インターホン装置１に留守番モードが設定される。当該留守番モードが設定されている場合には、室内親機３は、室内子機４から送信された緊急通報信号を受信すると、連絡先端末２に電話回線Ｔを介して所定の緊急通報を行うようになっている。
ここで、連絡先端末２としては、例えば、ユーザの携帯電話，勤務先，介護センター，掛かり付けの病院，警備会社等が挙げられる。また、所定の緊急通報は、例えば、予め設定された「緊急です」等の音声であってもよいし、アラーム音等であってもよい。
【００１９】
スピーカ部３３は、例えば、スピーカ（図示省略），スピーカアンプ（図示省略）等を備えて構成され、室内子機４から送信された緊急通報信号に基づいて、所定の緊急通報（例えば、「緊急です」等の音声，アラーム音）を出力するとともに、室内子機４から受信した音声信号に基づいて、音声を出力する。
【００２０】
マイク部３４は、例えば、マイク（図示省略），マイクアンプ（図示省略）等を備えて構成され、ユーザにより入力された音声を音声信号に変換して、制御部３５に出力する。
【００２１】
制御部３５は、例えば、図２に示すように、ＣＰＵ（Central  Processing  Unit）３６，ＲＡＭ（Random  Access  Memory）３７，記憶部３８等を備えて構成され、室内親機３全体を制御する。より具体的には、ＣＰＵ３６は、記憶部３８に格納された処理プログラム等を読み出して、ＲＡＭ３７に展開して実行することにより、室内親機３全体の制御を行う。
そして、制御部３５は、留守番モードが設定されていない場合には、室内子機４から緊急通報信号及び音声信号を受信した際に、スピーカ部３３を制御して当該緊急通報信号及び音声信号に基づく緊急通報及び音声を出力させるとともに、ユーザによりマイク部３４から入力された音声信号を、無線部３１を制御して室内子機４へ無線通信回線を介して送信させる。また、電話回線Ｔから着信を検出した場合には、固定電話機７を電話回線Ｔに接続させる。
一方、制御部３５は、留守番モードが設定されている場合には、室内子機４から緊急通報信号及び音声信号を受信した際に、電話回線Ｔに接続して連絡先端末２へ所定の緊急通報及び音声信号を出力するとともに、連絡先端末２から受信した音声信号を、無線部３１を制御して室内子機４へ無線通信回線を介して送信させる。
【００２２】
室内子機４は、例えば、図３に示すように、第１本体部８，第２本体部９等を備えて構成され、第１本体部８は第２本体部９に着脱可能に構成されている。
【００２３】
第１本体部８は、例えば、無線通信部としてのアンテナ８１，ＲＦ（Radio  Frequency）部８２，電源８３，電圧調整部８４，操作入力部としての緊急通報ボタン８５，制御部８６等を備えて構成される。また、第１本体部８は、図４に示すように、紐状部材（図示省略）を係止するための係止部８０を備えており、当該係止部８０に係止された紐状部材をユーザの首等に引掛けることにより、携帯されるようになっている。
【００２４】
アンテナ８１は、例えば、モノポール型アンテナ等であって、無線通信回線を介して室内親機３との間の無線信号の送受信を行う。より具体的には、アンテナ８１は、例えば、緊急通報ボタン８５がユーザにより押下されることに基づく緊急通報信号を室内親機３に無線通信回線を介して送信する。
【００２５】
ＲＦ部８２は、例えば、ミキサー（図示省略），ローパスフィルタ（図示省略）等を備えて構成され、アンテナ８１が受信した無線信号の中から所定周波数帯域の無線信号を抽出し、第２本体部９の後述するコンバンダ９１に出力する。
【００２６】
電源８３は、例えば、電源回路（図示省略）等を備えて構成され、室内子機４の各部に必要な電圧を供給する。
【００２７】
電圧調整部８４は、例えば、電圧調整回路（図示省略）等を備えて構成され、電源８３から供給される電圧を制御部８６に供給可能な電圧に調整して、当該制御部８６に供給する。
【００２８】
緊急通報ボタン８５は、ユーザにより押下されることにより、制御部８６に緊急通報信号を出力する。
【００２９】
制御部８６は、例えば、図３に示すように、ＣＰＵ８７，ＲＡＭ８８，記憶部８９等を備えて構成され、室内子機４全体を制御する。より具体的には、ＣＰＵ８７は、記憶部８９に格納された処理プログラム等を読み出して、ＲＡＭ８８に展開して実行することにより、室内子機４全体の制御を行う。
そして、制御部８６は、ＲＦ部８２及びアンテナ８１を制御して、緊急通報ボタン８５がユーザにより押下されることに基づく緊急通報信号を室内親機３に送信させるとともに、後述するマイク９４及びマイクアンプ９５を制御してユーザにより入力された音声を音声信号に変換させ、ＲＦ部８２及びアンテナ８１により室内親機３へ無線通信回線を介して送信させ、後述するスピーカ９３及びスピーカアンプ９２を制御して室内親機３から無線通信回線を介して受信した音声信号に基づく音声を出力させる。
【００３０】
第２本体部９は、例えば、図３に示すように、コンバンダ９１，スピーカアンプ９２，音声出力部としてのスピーカ９３，音声入力部としてのマイク９４，マイクアンプ９５，変換部９６等を備えて構成される。
【００３１】
コンバンダ９１は、例えば、圧縮回路（図示省略），伸長回路（図示省略）等を備えて構成され、ＲＦ部８２から入力された音声信号に圧縮処理等を行ってスピーカアンプ９２に出力するとともに、マイクアンプ９５等から入力された音声信号に伸長処理等を行ってＲＦ部８２に出力し、雑音及び漏話を軽減する。
【００３２】
スピーカアンプ９２は、増幅回路（図示省略）等を備え、コンバンダ９１から入力された音声信号を増幅してスピーカ９３に出力する。
【００３３】
スピーカ９３は、例えば、スピーカアンプ９２から入力された音声信号に基づく音声を出力する。
【００３４】
マイク９４は、例えば、ユーザにより入力された音声を音声信号に変換し、マイクアンプ９５に出力する。
【００３５】
マイクアンプ９５は、例えば、増幅回路（図示省略）等を備え、マイク９４から入力された音声信号を増幅してコンバンダ９１に出力する。
【００３６】
変換部９６は、例えば、パラレル／シリアル変換回路（図示省略）等を備えて構成され、制御部８６から入力される各種制御信号をパラレル／シリアル変換して、第２本体部９の各部に出力する。
【００３７】
次に、上述のような構成の第１本体部８と第２本体部９の接続について図４を参照しながら説明する。図４（ａ）に、第１本体部８と第２本体部９とを接続した室内子機４を示し、図４（ｂ）に、第２本体部９を装着していない第１本体部８を示す。
【００３８】
第１本体部８と第２本体部９とは、例えば、図４に示すように、コネクタ部１０により接続されるようになっている。コネクタ部１０は、例えば、第２本体部９の第１本体部８との接続面から突出する凸部１０Ａ、第１本体部８の第２本体部９との接続面に設けられた当該凸部１０Ａに嵌合される凹部１０Ｂ等を備えて構成されている。
【００３９】
第１本体部８の凹部１０Ｂと第２本体部９の凸部１０Ａとが嵌合されることにより第１本体部８と第２本体部９とが電気的に接続される。より具体的には、第１本体部８の凹部１０Ｂと第２本体部９の凸部１０Ａとが嵌合されることにより、例えば、第１本体部８のＲＦ部８２及び制御部８６と第２本体部９のコンバンダ９１及び変換部９６とが接続される。そして、第１本体部８と第２本体部９が接続された状態では、室内子機４は、通話可能となっており、第１本体部８が第２本体部９を接続していない状態では、室内子機４は緊急通報のみが可能な状態となっている。
【００４０】
センサ子機５は、例えば、防犯センサ，火災センサ，ガス漏れセンサ等であり、検出信号を無線通信回線を介して室内親機３に出力する。
【００４１】
玄関子機６は、例えば、防犯センサ等を備えており、検出信号を無線通信回線を介して室内親機３に出力する。
【００４２】
以上に説明した、本発明に係るインターホン装置１及び室内子機４によれば、ユーザにより緊急通報ボタン８５が押下されることに基づいて、アンテナ８１に緊急通報信号を室内親機３に無線通信回線を介して送信させる第１本体部８と、音声を入力するマイク９４と、室内親機３から送信され、アンテナ８１が受信した音声を出力するスピーカ９３と、を備える第２本体部９とが着脱可能に構成され、第１本体部８が第２本体部９に装着された際、第１本体部８と第２本体部９とが電気的に接続されるので、第１本体部８を第２本体部９から離して使用することにより、当該第１本体部８をより容易に携帯できるとともに、第１本体部８を第２本体部９に接続して使用することにより室内親機３と通話ができることとなるので、必要に応じて第１本体部８と第２本体部９とを着脱して使用することにより、室内子機４を携帯が容易で且つ使い勝手が良いものとすることができる。
【００４３】
また、第１本体部８は、紐状部材を係止するための係止部８０を備えるので、当該係止部８０に係止した紐状部材をユーザの首等に引掛けることにより、当該室内子機４をさらに容易に携帯することができる。
【００４４】
なお、本実施形態では、外部装置としてインターホン装置１の室内親機３を、緊急通報装置として室内子機４を例示して説明したがこれに限られるものではない。例えば、緊急通報装置は病院内の各患者が携帯するものであって、外部装置は、病院内のナースセンターに備えられるものなどであってもよい。
また、室内子機４の制御部８６が第１本体部８に設けられることとしたが、第２本体部９に設けられてもよく、その場合には、第１本体部８に緊急通報ボタン８５が押下されることにより緊急通報信号を出力する所定の回路等を設ければよい。
電源８３，電圧調整部８４が第１本体部８のみに設けられることとしたが、第２本体部９に設けられてもよい。
【図面の簡単な説明】
【００４５】
【図１】本発明に係るインターホン装置と連絡先端末の接続を説明する図である。
【図２】本発明に係る室内親機の要部構成を示すブロック図である。
【図３】本発明に係る室内子機の要部構成を示すブロック図である。
【図４】本発明に係る第１本体部と第２本体部とが接続された状態を示す図（図４（ａ）），第２本体部を装着していない第１本体部を示す図（図４（ｂ））である。
【符号の説明】
【００４６】
１  インターホン装置
３  室内親機（外部装置）
４  室内子機（緊急通報装置）
８  第１本体部
８０  係止部
８１  アンテナ（無線通信部）
８５  緊急通報ボタン（操作入力部）
９  第２本体部
９３  スピーカ（音声出力部）
９４  マイク（音声入力部）
Ｔ  電話回線
【図１】
2007116345.tif 000003
【図２】
2007116345.tif 000004
【図３】
2007116345.tif 000005
【図４】
2007116345.tif 000006